(57)【要約】【課題】木造建築物の構造体を防水する施工方法に係り、構造体を構成する軸材、面材が施工中に雨水がかかり、品質が劣化するのを防止する木造建築物の施工方法を提供する。【解決手段】木造建築物１０の構造体を防水する施工方法であって、構造体を構成する軸材１、面材４を予め防水フィルム２で保護した状態で、現地に搬入し、互いに組合せ接合して構造体とする。【選択図】  図１
2004176378.tif 000002
【特許請求の範囲】
【請求項１】
木造建築物の構造体を防水する施工方法であって、構造体を構成する軸材、面材を予め防水フィルムで保護した状態で、現地に搬入し、互いに組合せ接合して構造体とすることを特徴とする木造建築物の施工方法。
【請求項２】
上記軸材、面材に取付けられた防水フィルムを残したまま、仕上げ材を構造体に組み付けるか、仕上げ材を組み付ける寸前に防水フィルムを取り除くことを特徴とする請求項１記載の木造建築物の施工方法。
【請求項３】
上記面材を保護する防水フィルムが透湿防水シートであることを特徴とする請求項１又は２記載の木造建築物の施工方法。
【発明の詳細な説明】
【０００１】
【発明の属する技術分野】
この発明は、木造建築物の構造体を防水する施工方法に係り、構造体を構成する軸材、面材が施工中に雨水がかかり、品質が劣化するのを防止する木造建築物の施工方法に関する。
【０００２】
【従来の技術】
木造建築物においては、建築工事の施工中に、構造体を構成する軸材や面材である木材に雨水がかかり、品質劣化を起こす恐れがある。そのため品質劣化を防止するため、養生シートやテント状の防雨装置が考案されている。例えば、雨天据付中に水漏れがなく、養生シートで覆われた建物ユニット間を自由に往来できるユニット建物の養生構造とその養生方法が提案されている。（例えば、特許文献１参照）。また、例えばイベント会場等における床面や側壁、天井等に接着にて一時的に張設され、使用後においては剥離廃棄される使い捨ての養生シートが提案されている。（例えば、特許文献２参照）。
【０００３】
また、例えば土木・建築工事現場等における養生用として公的な水切り装置を備えた大型のエアビームテントが提案されている。（例えば、特許文献３参照）。あるいは、土木・建設工事における雨対策に適した雨水防水シート等が提案されている。（例えば、特許文献４参照）。
【０００４】
【特許文献１】
特開平１０−８２１８４号公報
【特許文献２】
特開平１０−１１０５３４号公報
【特許文献３】
実開平７−４３２０９号公報
【特許文献４】
特開平７−７６９３５号公報
【０００５】
【発明が解決しようとする課題】
しかしながら、上記特許文献１記載の養生シートによる養生方法においては、養生シートで覆われ隣接設置された建物ユニット間を通り抜け可能にくり抜かれ、くり抜かれた養生シートの周縁部が接合されているので、雨天据付中に水漏れなく、養生シートで覆われた建物ユニット間を自由に往来できるが、建物ユニット全体を覆うので大型な養生シートが複数必要であり、また、養生シート間をくり抜き接合等手間がかかり、据付後撤去する必要がある。
【０００６】
また、上記特許文献２に記載の養生シートは、一時的に使用され、使用後には取り外して廃棄されるものであり、回収及び廃棄のコストがかかる。また、上記特許文献３，４に記載の養生用のエアビームテントや雨水防水シートは大掛かりなものであり、設置や回収にコストがかかるという問題があった。
【０００７】
この発明は、上記事情に鑑みなされたもので、木造建築物の構造体を構成する軸材、面材が施工中に雨水がかかり、品質が劣化するのを防止するため、予め防水フィルムで保護した状態で、現地に搬入し、互いに組合せ接合して構造体とする木造建築物の施工方法を提供することを目的とするものである。
【０００８】
【課題を解決するための手段】
上記目的を達成するために請求項１記載の木造建築物の施工方法は、木造建築物の構造体を防水する施工方法であって、構造体を構成する軸材、面材を予め防水フィルムで保護した状態で、現地に搬入し、互いに組合せ接合して構造体とすることを特徴とする木造建築物の施工方法である。
【０００９】
請求項２記載の木造建築物の施工方法は、上記軸材、面材に取付けられた防水フィルムを残したまま、仕上げ材を構造体に組み付けるか、仕上げ材を組み付ける寸前に防水フィルムを取り除くことを特徴とする請求項１記載の木造建築物の施工方法である。
【００１０】
請求項３記載の木造建築物の施工方法は、上記面材を保護する防水フィルムが透湿防水シートであることを特徴とする請求項１又は２記載の木造建築物の施工方法である。
【００１１】
【作用】
請求項１記載の木造建築物の施工方法によれば、木造建築物の構造体を防水する施工方法であって、構造体を構成する軸材、面材を予め防水フィルムで保護した状態で、現地に搬入し、互いに組合せ接合して構造体とする施工方法であるので、現地で養生シートや防水シートを設置して雨水対策を取る必要がなく、建築工事終了後に撤去或いは回収の必要がなく、経済的である。
【００１２】
請求項２記載の木造建築物の施工方法によれば、上記軸材、面材に取付けられた防水フィルムを残したまま、仕上げ材を構造体に組み付けるか、仕上げ材を組み付ける寸前に防水フィルムを取り除く施工方法であるので、請求項１記載の作用効果に加え、木質構造材の品質が確保され、構造体組立工程及び次の仕上げ材取付工程の作業が天候に左右されず作業性が向上する。
【００１３】
請求項３記載の木造建築物の施工方法によれば、上記上記面材を保護する防水フィルムが透湿防水シートであるので、面材の防水フィルムを除去する必要もないし、後工程の透湿防水シートを施工する必要もなく、経済的であり、作業工程の削減及び作業性が向上する。
【００１４】
【発明の実施の形態】
以下に、この発明の実施の形態を実施例で詳述する。
（実施例１）
図１は本発明の一実施例を示すもので、図（イ）は木造建築物の構造体を構成する軸材に防水フィルムを被覆した状態で保管している状況を説明する斜視図、（ロ）は上記軸材を組み立てる状況を説明する斜視図である。
【００１５】
図１において、１は柱１ａ、梁１ｂ等を構成する軸材であり、２は軸材１の表面を雨水から保護する為の防水フィルム、３は透湿防水シート、４は外装パネル、５は基礎、１０は軸材１を組み立てた木造建築物１０の骨組を示す。
【００１６】
図１（イ）に示すように、木製の軸材１は予め厚さ０．１ｍｍ以下の防水フィルムで被覆されて、現地に搬入される。そして、図１（ロ）に示すように、防水フィルム２で被覆されたままの状態で基礎５の上に柱１ａ及び梁１ｂのように組み立てられる。
次いで、仕上げ材として外装パネル４を取付ける寸前に、防水フィルム２を取り除き（取り除かれなくても良い）、透湿防水シート３を取付、その上に外装パネル４を取付ける。また、図示しない屋根の骨組及び屋根材が取付けられる。
【００１７】
（実施例２）
図２は本発明の他の実施例を示すもので、構造面材が透湿防水シートで被覆された状態を示す分解斜視図である。
【００１８】
図２に示すように、外装パネル４と柱１ａとの間に設置される構造面材６が表面（屋外側）に予め透湿防水シート３が貼られている。外装パネル４は胴縁７を挟んで構造面材６の外側に取り付けられる。この外壁材４としては、例えば硬質木片セメント板等の外装パネル材が用いられる。構造面材６の表面（屋外側）に予め透湿防水シート３が防水フィルム２の機能も含めて貼られているので、雨水に対する防水フィルム２としての効果を有すると共に、後工程の仕上げ材である外装パネル４取付工程で面材の防水フィルム２を除去する必要が無く、透湿防水シート３を施工する必要がない。
【００１９】
以上、この発明の実施例を図面により詳述してきたが、具体的な構成はこの実施例に限られるものではなく、この発明の要旨を逸脱しない範囲の設計の変更等があってもこの発明に含まれる。
【００２０】
【発明の効果】
請求項１記載の木造建築物の施工方法によれば、木造建築物の構造体を防水する施工方法であって、構造体を構成する軸材、面材を予め防水フィルムで保護した状態で、現地に搬入し、互いに組合せ接合して構造体とする施工方法であるので、現地で養生シートや防水シートを設置して雨水対策を取る必要がなく、建築工事終了後に撤去或いは回収の必要がなく、経済的である。
【００２１】
請求項２記載の木造建築物の施工方法によれば、上記軸材、面材に取付けられた防水フィルムを残したまま、仕上げ材を構造体に組み付けるか、仕上げ材を組み付ける寸前に防水フィルムを取り除く施工方法であるので、請求項１記載の作用効果に加え、木質構造材の品質が確保され、構造体組立工程及び次の仕上げ材取付工程の作業が天候に左右されず作業性が向上する。
【００２２】
請求項３記載の木造建築物の施工方法によれば、上記上記面材を保護する防水フィルムが透湿防水シートであるので、面材の防水フィルムを除去する必要もないし、後工程の透湿防水シートを施工する必要もなく、経済的であり、作業工程の削減及び作業性が向上する。
【図面の簡単な説明】
【図１】図（イ）は木造建築物の構造体を構成する軸材に防水フィルムを被覆した状態で保管している状況を説明する斜視図、（ロ）は上記軸材を組み立てる状況を説明する斜視図である。
【図２】図２は構造面材が透湿防水シートで被覆された状態を示す分解斜視図である。
【符号の説明】
１        軸材
１ａ  柱
１ｂ  梁
２        防水フィルム
３        透湿防水シート
４        外装パネル
５        基礎
６    構造面材
７    胴縁
１０    木造建築物
【図１】
2004176378.tif 000003
【図２】
2004176378.tif 000004